(57)【要約】【課題】コネクタ取付構造において、コネクタの組み付けに関する作業をより容易に行うことを可能にする。接続不良をより確実に抑制する。部品点数を低減する。更なる小型化を達成する。【解決手段】バックライト装置１は、シャーシ２と、シャーシ２に取り付けられた発光ユニット３と、発光ユニット３に接続されたコネクタ３３とを含む。発光ユニット３は、基板２０を含む。基板２０は、シャーシ２の主壁５に対して立ち上がる第１方向Ｄ１と平行に配置されている。コネクタ３３のハウジング３６は、第１方向Ｄ１と反対の第２方向Ｄ２に沿って変位される基板２０の端子部２２を挿入可能な挿入凹部６３を含む。【選択図】図２
2012033456.tif 000002
【特許請求の範囲】
【請求項１】
板状の主壁を含むシャーシと、
前記シャーシ内に向けて光を照射するための発光素子と、
前記発光素子が実装された基板本体、この基板本体の一縁部から突出する端子部、およびこの端子部に配置され前記発光素子と電気的に接続された端子を含み、前記主壁に対して立ち上がる第１方向と平行に配置された板状の基板と、
前記基板に接続されたコネクタと、を備え、
前記コネクタは、前記第１方向と反対の第２方向に沿って変位される前記基板の前記端子部を挿入可能な挿入凹部を含む絶縁性のハウジングと、このハウジングに保持され前記挿入凹部内において前記端子と接触可能な接触部を有する導電性のコンタクトと、を含むことを特徴とする、コネクタ取付構造。
【請求項２】
請求項１において、前記基板本体は、前記主壁の一縁部の延びる方向に細長い矩形に形成されており、前記端子部は、前記基板本体の長手方向の一部に配置されていることを特徴とする、コネクタ取付構造。
【請求項３】
請求項１または２において、前記発光素子は、前記端子部とは前記第２方向に整列された整列発光素子を含むことを特徴とする、コネクタ取付構造。
【請求項４】
請求項１〜３の何れか１項において、前記基板本体を前記シャーシに固定する固定部材をさらに備えることを特徴とする、コネクタ取付構造。
【請求項５】
請求項４において、前記シャーシは、前記主壁の縁部から立ち上がる縦壁を含み、
前記固定部材は、前記基板本体と前記縦壁とを固定していることを特徴とする、コネクタ取付構造。
【請求項６】
請求項１〜５の何れか１項において、前記ハウジングは、前記主壁と前記基板との間に配置されており、
前記ハウジング内の空間は、前記主壁に向けて解放されていることを特徴とする、コネクタ取付構造。
【請求項７】
請求項１〜６の何れか１項において、前記ハウジングは、前記主壁上に配置された脚部を含み、
前記挿入凹部は、前記脚部に対して前記第１方向側に配置されていることを特徴とする、コネクタ取付構造。
【請求項８】
請求項７において、前記コンタクトと電源とを電気的に接続するための接続部材をさらに備え、
前記脚部は、前記接続部材の一端部を収容する接続部材収容部を含むことを特徴とする、コネクタ取付構造。
【請求項９】
請求項１〜８の何れか１項において、前記コンタクトは、互いに直交するように配置された第１部分および第２部分を含むＬ字形形状に形成されており、
前記第１部分は前記主壁と平行に配置され、前記第２部分は前記第１部分から前記第１方向に立ち上がるように配置されていることを特徴とする、コネクタ取付構造。
【請求項１０】
請求項９において、前記コンタクトと電源とを電気的に接続するための接続部材をさらに備え、
前記第１部分は、前記接続部材の一端部が固定される固定部を含むことを特徴とする、コネクタ取付構造。
【請求項１１】
請求項９または１０において、前記第２部分に前記接触部が配置されていることを特徴とする、コネクタ取付構造。
【請求項１２】
請求項１〜１１の何れか１項において、前記主壁は、前記コネクタの少なくとも一部を収容可能な収容溝を含むことを特徴とする、コネクタ取付構造。
【請求項１３】
請求項１２において、前記収容溝に前記ハウジングを保持する保持機構をさらに備えることを特徴とする、コネクタ取付構造。
【請求項１４】
請求項１３において、前記保持機構は、前記収容溝の側面に設けられた保持部と、前記ハウジングに設けられ前記保持部に受けられる被保持部とを含むことを特徴とする、コネクタ取付構造。
【請求項１５】
請求項１４において、前記保持部は、平坦な面であり、前記被保持部は、前記ハウジングから突出し前記保持部に摩擦接触する突起を含むことを特徴とする、コネクタ取付構造。
【請求項１６】
請求項１２〜１５の何れか１項において、前記コンタクトと電源とを電気的に接続するための接続部材をさらに備え、
前記収容溝に前記接続部材が収容されていることを特徴とする、コネクタ取付構造。
【請求項１７】
請求項１６において、前記収容溝は、前記コネクタを収容している部分の深さよりも前記接続部材の中間部を収容している部分の深さが浅いことを特徴とする、コネクタ取付構造。
【請求項１８】
請求項１２〜１７の何れか１項において、前記シャーシは、前記主壁の外周縁部から立ち上がる縦壁を含み、
前記縦壁は、前記シャーシの外側に向けて窪む窪み部を含み、
前記縦壁と前記主壁との協働により前記収容溝が形成されていることを特徴とする、コネクタ取付構造。
【請求項１９】
請求項１〜５の何れか１項において、前記発光素子に電力を供給するために前記コネクタに結合された電力供給基板をさらに備え、
前記基板、前記コネクタ、および前記電力供給基板によって基板ユニットが形成されており、
前記主壁は、前記基板ユニットの一部が挿通された挿通孔を有し、
前記主壁を挟むように前記発光素子および前記電力供給基板が配置されていることを特徴とする、コネクタ取付構造。
【請求項２０】
請求項１９において、前記端子部は、前記挿通孔を通して前記挿入凹部に挿入されていることを特徴とする、コネクタ取付構造。
【請求項２１】
請求項１９または２０において、前記電力供給基板は、電極が形成された電極部を含み、
前記ハウジングは、前記挿入凹部からなる第１挿入凹部と、前記電極部を挿入可能な第２挿入凹部と、を含み、
前記コンタクトは、前記接触部からなる第１接触部と、前記第２挿入凹部内において前記電極と接触可能な第２接触部と、を含んでいることを特徴とするコネクタ取付構造。
【請求項２２】
請求項２１において、前記第１挿入凹部に前記端子部を挿入する方向と、前記第２挿入凹部に前記電極部を挿入する方向は、互いに直交していることを特徴とするコネクタ取付構造。
【請求項２３】
請求項２１または２２において、前記コンタクトは、前記第２接触部が配置されたＵ字状部を含み、
前記第２挿入凹部に挿入された前記電極部を前記Ｕ字状部で挟むことを特徴とするコネクタ取付構造。
【請求項２４】
請求項２３において、前記Ｕ字状部は、互いに対向する第１部分および第２部分を含み、
前記第１部分および前記第２部分の少なくとも一方に前記第２接触部が配置されていることを特徴とするコネクタ取付構造。
【請求項２５】
請求項２４において、前記第１部分は、平板状に形成され、
前記第２部分は、前記第２接触部を有し湾曲状に形成された弾性片部を含み、
前記コンタクトは、前記第１部分から延設された延設部を含み、
前記延設部に前記第１接触部が配置されていることを特徴とする、コネクタ取付構造。
【請求項２６】
請求項１９〜２５の何れか１項において、前記基板または前記電力供給基板が前記シャーシに固定されていることを特徴とする、コネクタ取付構造。
【発明の詳細な説明】
【技術分野】
【０００１】
この発明は、コネクタ取付構造に関する。
【背景技術】
【０００２】
液晶テレビなどの液晶表示装置は、バックライト装置を備えている。バックライト装置は、液晶パネルに向けて光を発する発光素子を含んでいる。発光素子として、ＣＣＦＬ（Cold Cathode Fluorescent Lamp）などの蛍光管や、ＬＥＤ（発光ダイオード）が使用されている。
発光素子としてＬＥＤを用いるバックライト装置には、ＬＥＤが、液晶パネルの後方で且つ液晶パネルの外周縁部に沿って配置された、エッジライト型のバックライト装置がある（たとえば、特許文献１参照）。エッジライト型のバックライト装置では、液晶パネルの主面と平行に光を発し、発せられた光が光拡散板等によって拡散されるようになっている。
【先行技術文献】
【特許文献】
【０００３】
【特許文献１】特開２００９−２２４０３０号公報
【発明の概要】
【発明が解決しようとする課題】
【０００４】
エッジライト型のバックライト装置として、例えば、筐体フレームを含む構造が考えられる。具体的には、筐体フレームは、液晶パネルと平行な矩形の板（メインパネル）の外周部が略直角に折り曲げられて矩形の外周壁が形成されている。矩形の外周壁の１つ（１辺）は、固定壁とされている。固定壁には、この固定壁と平行に延びる基板が固定されている。基板の実装面（表面）には、複数のＬＥＤが実装されている。基板の実装面の一端には、給電用の雌コネクタが固定されている。この雌コネクタは、ＬＥＤによる液晶パネルへの光照射を邪魔しないように、外周壁のコーナー部の狭い領域に配置されている。また、雌コネクタに結合される雄コネクタは、雌コネクタに着脱される際、雌コネクタに対して、メインパネルの主面方向と平行な方向（液晶パネルを正面視したときの左右方向または上下方向）に変位されるようになっている。
【０００５】
このような構成では、雌コネクタが狭い領域に配置されているので、雌コネクタに雄コネクタを取り付ける作業を行い難い。したがって、コネクタの組み付け作業性に改善の余地がある。
また、雄コネクタの着脱作業を行い難い結果、雄コネクタを雌コネクタに完全に差し込みきれず、一対のコネクタ間で接続不良が生じ得る。
【０００６】
さらに、給電用のコネクタとして、雄コネクタと雌コネクタという、２つのコネクタが必要である。このため、部品点数が多く、しかも、コネクタ周辺の構造が大型化してしまう。
この発明は、かかる背景のもとでなされたもので、コネクタの組み付けに関する作業をより容易に行うことのできるコネクタ取付構造を提供することを目的とする。
【０００７】
この発明の別の目的は、コネクタ取付構造において、接続不良をより確実に抑制できるようにすることである。
この発明のさらに別の目的は、コネクタ取付構造において、部品点数を低減することである。
この発明のさらに別の目的は、コネクタ取付構造において、更なる小型化を達成することである。
【課題を解決するための手段】
【０００８】
上記の目的を達成するための請求項１記載の発明は、板状の主壁を含むシャーシと、前記シャーシ内に向けて光を照射するための発光素子と、前記発光素子が実装された基板本体、この基板本体の一縁部から突出する端子部、およびこの端子部に配置され前記発光素子と電気的に接続された端子を含み、前記主壁に対して立ち上がる第１方向と平行に配置された板状の基板と、前記基板に接続されたコネクタと、を備え、前記コネクタは、前記第１方向と反対の第２方向に沿って変位される前記基板の前記端子部を挿入可能な挿入凹部を含む絶縁性のハウジングと、このハウジングに保持され前記挿入凹部内において前記端子と接触可能な接触部を有する導電性のコンタクトと、を含むことを特徴とする、コネクタ取付構造である。
【０００９】
この発明によれば、主壁に対して立ち上がる方向（第１方向）と反対の第２方向に沿って基板を変位させることにより、基板の端子部を、ハウジングの挿入凹部に挿入でき、同時に、基板の端子をコンタクトの接触部と電気的に接続することができる。すなわち、シャーシの主壁の手前の広い空間から、基板を第２方向に沿ってコネクタに向けて変位させることにより、基板をコネクタに接続できる。したがって、基板をコネクタに接続する作業を容易に行うことができる。
【００１０】
また、シャーシの主壁手前の広い空間から、基板をコネクタに取り付けることができるので、基板を把持するためのスペースを広く確保できる。これにより、基板を、作業者の手やロボットアームなどで強く把持でき、しかも、基板を動かし易いので、基板の端子部を、コネクタの挿入凹部に確実に挿入できる。したがって、基板の端子とコンタクトの接触部とを確実に接触させることができる。これにより、接続不良をより確実に抑制できる。
【００１１】
さらに、基板の端子部をコネクタの挿入凹部に差し込むようになっている。このように、基板が直接コネクタに差し込まれるようになっている。これにより、基板には、上記コネクタに接続するための別のコネクタ（雄コネクタなど）を実装する必要がない。したがって部品点数を低減できる。
また、上記別のコネクタを設けなくてもよいので、コネクタ取付構造の小型化を実現できる。さらに、基板とコネクタとを接続する際、シャーシの主壁の近傍で基板とコネクタとを主壁の主面方向に相対移動させる必要がない。これにより、基板やコネクタの周辺に、基板とコネクタとを主壁の主面方向に相対移動させるためのスペースを設けなくてもよい。これにより、コネクタ取付構造の更なる小型化を達成できる。
【００１２】
請求項２記載の発明は、請求項１において、前記基板本体は、前記主壁の一縁部の延びる方向に細長い矩形に形成されており、前記端子部は、前記基板本体の長手方向の一部に配置されていることを特徴とする、コネクタ取付構造である。
この発明によれば、端子部を基板本体の一部にのみ配置することで、コネクタ取付構造のさらなる小型化を達成できる。また、基板をコネクタに接続する際、基板からコネクタに伝わる力は、基板本体の長手方向の一部（たとえば、一端部または両端部）に配置された端子部に集中する。これにより、端子部を挿入凹部に嵌め込む作業を、少ない力で容易に行うことができる。
【００１３】
請求項３記載の発明は、請求項１または２において、前記発光素子は、前記端子部とは前記第２方向に整列された整列発光素子を含むことを特徴とする、コネクタ取付構造である。
この発明によれば、端子部と整列発光素子と主壁とが真っ直ぐに並ぶ向きが、第２方向となる。これにより、端子部と、整列発光素子と、主壁とが真っ直ぐ並ぶようにした状態で、基板をコネクタに向けて変位させると、第２方向に沿って基板をコネクタに向けて変位することになる。したがって、整列発光素子および端子部を、コネクタへの基板の差し込み方向（第２方向）を示す案内部材として用いることができる。これにより、基板を、より容易にかつ正確にコネクタに組み付けることができる。また、端子部と整列発光素子とを第２方向に並べることにより、基板の長手方向の長さを短くできる。これにより、コネクタ取付構造の更なる小型化を達成できる。
【００１４】
請求項４記載の発明は、請求項１〜３の何れか１項において、前記基板本体を前記シャーシに固定する固定部材をさらに備えることを特徴とする、コネクタ取付構造である。
この発明によれば、シャーシに、基板本体を保持する機能を兼用させることができる。したがって、基板固定用の専用の台座が不要であり、コネクタ取付構造の更なる小型化を達成できる。また、基板本体をシャーシに固定するので、基板本体の位置がシャーシに対して振動や衝撃等でずれることが規制されている。その結果、基板がコネクタから外れて接続不良が生じることをより確実に抑制できる。
【００１５】
請求項５記載の発明は、請求項４において、前記シャーシは、前記主壁の縁部から立ち上がる縦壁を含み、前記固定部材は、前記基板本体と前記縦壁とを固定していることを特徴とする、コネクタ取付構造である。
この発明によれば、縦壁と基板本体とを平行に沿わせた状態で、基板本体を縦壁に固定できる。これにより、縦壁および基板が全体として占めるスペースを少なくできるので、コネクタ取付構造の更なる小型化を達成できる。
【００１６】
請求項６記載の発明は、請求項１〜５の何れか１項において、前記ハウジングは、前記主壁と前記基板との間に配置されており、前記ハウジング内の空間は、前記主壁に向けて解放されていることを特徴とする、コネクタ取付構造である。
この発明によれば、主壁とハウジングと基板とを一方向に重ねて配置できるので、コネクタ取付構造をより小型化（薄く）できる。さらに、ハウジング内の空間と、主壁との間には、ハウジングの壁が設けられていない。これにより、第２方向に関するハウジングの高さを低くできるので、コネクタ取付構造をより小型化（薄く）できる。
【００１７】
請求項７記載の発明は、請求項１〜６の何れか１項において、前記ハウジングは、前記主壁上に配置された脚部を含み、前記挿入凹部は、前記脚部に対して前記第１方向側に配置されていることを特徴とする、コネクタ取付構造である。
この発明によれば、ハウジングのうち、コンタクトの接触部を収容する部分の周辺だけを脚部から延ばすことができるので、コネクタを小型にでき、その結果、コネクタ取付構造をさらに小型化できる。また、コンタクトの接触部を、コネクタの第１方向の端部に近い位置に配置できる。このため、基板を挿入凹部に差し込み始めた時点から、基板の端子にコンタクトの接触部を接触させることができる。これにより、基板の端子とコンタクトの接触部とをより確実に接触させることができる。したがって、接続不良をより確実に抑制できる。
【００１８】
請求項８記載の発明は、請求項７において、前記コンタクトと電源とを電気的に接続するための接続部材をさらに備え、前記脚部は、前記接続部材の一端部を収容する接続部材収容部を含むことを特徴とする、コネクタ取付構造である。
この発明によれば、コンタクトの接触部とシャーシの主壁との間に、接続部材の一端部を配置できる。これにより、ハウジング内のスペースを有効活用できるので、コネクタ取付構造の更なる小型化を達成できる。
【００１９】
請求項９記載の発明は、請求項１〜８の何れか１項において、前記コンタクトは、互いに直交するように配置された第１部分および第２部分を含むＬ字形形状に形成されており、前記第１部分は前記主壁と平行に配置され、前記第２部分は前記第１部分から前記第１方向に立ち上がるように配置されていることを特徴とする、コネクタ取付構造である。
この発明によれば、シャーシの主壁からのコンタクトの高さを低くできる。これにより、コネクタ取付構造の更なる小型化を達成できる。
【００２０】
請求項１０記載の発明は、請求項９において、前記コンタクトと電源とを電気的に接続するための接続部材をさらに備え、前記第１部分は、前記接続部材の一端部が固定される固定部を含むことを特徴とする、コネクタ取付構造である。
この発明によれば、シャーシの主壁と平行に延びる第１部分に接続部材を接続している。これにより、第１部材をシャーシの主壁と平行に這わせることができる。その結果、第１方向に関してコネクタ取付構造が占めるスペースをより少なくでき、コネクタ取付構造の更なる小型化を達成できる。
【００２１】
請求項１１記載の発明は、請求項９または１０において、前記第２部分に前記接触部が配置されていることを特徴とする、コネクタ取付構造である。
この発明によれば、第２方向に概ね沿うように第２部分が配置されているので、挿入凹部に挿入された端子部の端子と、第２部分との互いの対向部分を、第２方向により長くできる。これにより、基板の端子と、コンタクトの第２部分の接触部とをより確実に接触でき、接続不良をより確実に抑制できる。しかも、第１部分は主壁と平行であるので、コネクタが大型にならずに済み、コネクタ取付構造の小型化を達成できる。
【００２２】
請求項１２記載の発明は、請求項１〜１１の何れか１項において、前記主壁は、前記コネクタの少なくとも一部を収容可能な収容溝を含むことを特徴とする、コネクタ取付構造である。
この発明によれば、主壁に溝形状が形成されていることにより、主壁の曲げ強度をより高くできる。これにより、シャーシの主壁の強度を確保しつつ、主壁をより薄肉にできる。したがって、コネクタ取付構造の更なる小型化を達成できる。また、収容溝を形成するためには、主壁のうち、コネクタを収容する部分等の一部のみを窪ませればよい。したがって、主壁が占有するスペースを少なくでき、コネクタ取付構造の更なる小型化を達成できる。
【００２３】
請求項１３記載の発明は、請求項１２において、前記収容溝に前記ハウジングを保持する保持機構をさらに備えることを特徴とする、コネクタ取付構造である。
この発明によれば、コネクタを主壁によって保持できるので、コネクタが衝撃や振動で主壁に対して不用意に変位することを抑制できる。これにより、コネクタが基板から外れることをより確実に抑制できるので、接続不良をより確実に抑制できる。
【００２４】
請求項１４記載の発明は、請求項１３において、前記保持機構は、前記収容溝の側面に設けられた保持部と、前記ハウジングに設けられ前記保持部に受けられる被保持部とを含むことを特徴とする、コネクタ取付構造である。
この発明によれば、保持部と被保持部との結合により、コネクタが基板から外れることをより確実に抑制できるので、接続不良をより確実に抑制できる。
【００２５】
請求項１５記載の発明は、請求項１４において、前記保持部は、平坦な面であり、前記被保持部は、前記ハウジングから突出し前記保持部に摩擦接触する突起を含むことを特徴とする、コネクタ取付構造である。
この発明によれば、平坦な保持部に突起を摩擦接触させるという簡易な方法で、ハウジングを収容溝に保持できる。これにより、接続不良を抑制しつつ、コネクタを主壁に組み付ける作業をより容易に行うことができる。
【００２６】
また、主壁は、例えば大型のパネルであるので、複雑で精度の高い形状を比較的形成し難い。この主壁の保持部は、シンプルな形状である平坦部とされている。一方で、樹脂の射出成形等で複雑な形状を比較的製造し易いハウジングに、被保持部としての突起を設けている。これにより、保持機構をより容易に形成できる。
請求項１６記載の発明は、請求項１２〜１５の何れか１項において、前記コンタクトと電源とを電気的に接続するための接続部材をさらに備え、前記収容溝に前記接続部材が収容されていることを特徴とする、コネクタ取付構造である。
【００２７】
この発明によれば、コネクタを収容する収容溝に、接続部材を収容することができる。これにより、収容溝内の空間を有効活用できる。その結果、コネクタ取付構造をより小型化できる。
請求項１７記載の発明は、請求項１６において、前記収容溝は、前記コネクタを収容している部分の深さよりも前記接続部材の中間部を収容している部分の深さが浅いことを特徴とする、コネクタ取付構造である。
【００２８】
この発明によれば、収容溝に収容する部材の形状に合わせて収容溝の深さを変更している。これにより、収容溝内の空間を有効活用できる。その結果、コネクタ取付構造をより小型化できる。
請求項１８記載の発明は、請求項１２〜１７の何れか１項において、前記シャーシは、前記主壁の外周縁部から立ち上がる縦壁を含み、前記縦壁は、前記シャーシの外側に向けて窪む窪み部を含み、前記縦壁と前記主壁との協働により前記収容溝が形成されていることを特徴とする、コネクタ取付構造である。
【００２９】
この発明によれば、縦壁を、収容溝として活用できる。これにより、縦壁周辺の空間を有効活用できる。その結果、コネクタ取付構造をより小型化できる。また、縦壁に窪み部が形成されていることにより、シャーシの曲げ強度をより高くできる。これにより、シャーシの強度を確保しつつ、シャーシをより薄肉にできる。これにより、コネクタ取付構造の更なる小型化を達成できる。
【００３０】
請求項１９記載の発明は、請求項１〜５の何れか１項において、前記発光素子に電力を供給するために前記コネクタに結合された電力供給基板をさらに備え、前記基板、前記コネクタ、および前記電力供給基板によって基板ユニットが形成されており、前記主壁は、前記基板ユニットの一部が挿通された挿通孔を有し、前記主壁を挟むように前記発光素子および前記電力供給基板が配置されていることを特徴とする、コネクタ取付構造である。
【００３１】
この発明によれば、コネクタに基板と電力供給基板の双方を接続する、いわゆるボード・トゥ・ボード接続構造を実現できる。これにより、基板と電力供給基板との間にコネクタ以外の接続部材（電線など）を配置する必要がない。したがって、基板と電力供給基板とを電気的に接続するための部品点数を少なくできる。また、基板と電力供給基板とを近接して配置できるので、コネクタ取付構造の小型化を達成できる。さらに、コネクタに基板と電力供給基板とを接続する簡易な作業で、基板と電力供給基板とを接続できるので、コネクタ取付構造の組み立ての作業性を向上できる。さらに、発光素子とは主壁を挟んだ反対側に電力供給基板を配置する積層構造により、コネクタ取付構造をより薄型化（小型化）できる。
【００３２】
請求項２０記載の発明は、請求項１９において、前記端子部は、前記挿通孔を通して前記挿入凹部に挿入されていることを特徴とする、コネクタ取付構造である。
この発明によれば、端子部は、発光素子に対して主壁の反対側に配置される。これにより、発光素子を、主壁により近接して配置することができるので、コネクタ取付構造をより薄型化（小型化）できる。
【００３３】
請求項２１記載の発明は、請求項１９または２０において、前記電力供給基板は、電極が形成された電極部を含み、前記ハウジングは、前記挿入凹部からなる第１挿入凹部と、前記電極部を挿入可能な第２挿入凹部と、を含み、前記コンタクトは、前記接触部からなる第１接触部と、前記第２挿入凹部内において前記電極と接触可能な第２接触部と、を含んでいることを特徴とするコネクタ取付構造である。
【００３４】
この発明によれば、第２挿入凹部に電力供給基板の電極部を差し込むという簡易な構成により、コネクタと電力供給基板とを容易に接続できる。また、コネクタと電力供給基板とを接続するために大きな空間が必要ないので、コネクタ取付構造をより小型化できる。
請求項２２記載の発明は、請求項２１において、前記第１挿入凹部に前記端子部を挿入する方向と、前記第２挿入凹部に前記電極部を挿入する方向は、互いに直交していることを特徴とするコネクタ取付構造である。
【００３５】
この発明によれば、主壁と、電力供給基板とを略平行に配置できるので、コネクタ取付構造の薄型化を達成できる。また、主壁と電力供給基板とを略平行に配置した状態で、発光素子の光を、主壁の延びる方向と略平行に照射できる。発光素子の光を、主壁の延びる方向と略平行に照射することにより、シャーシ内での光の強さの分布をより均一にできる。したがって、コネクタ取付構造の小型化という効果と、シャーシ内での光の強さの分布をより均一にできるという効果という、相乗効果を発揮できる。
【００３６】
請求項２３記載の発明は、請求項２１または２２において、前記コンタクトは、前記第２接触部が配置されたＵ字状部を含み、前記第２挿入凹部に挿入された前記電極部を前記Ｕ字状部で挟むことを特徴とするコネクタ取付構造である。
この発明によれば、電極部をＵ字状部で挟むことにより、電極部とＵ字状部とを、より確実に接触させることができる。したがって、電力供給基板の電極とＵ字状部の第２接触部とをより確実に接触させることができる。
【００３７】
請求項２４記載の発明は、請求項２３において、前記Ｕ字状部は、互いに対向する第１部分および第２部分を含み、前記第１部分および前記第２部分の少なくとも一方に前記第２接触部が配置されていることを特徴とするコネクタ取付構造である。
この発明によれば、電力供給基板の電極とＵ字状部の第２接触部とをより確実に接触させることができる。
【００３８】
請求項２５記載の発明は、請求項２４において、前記第１部分は、平板状に形成され、前記第２部分は、前記第２接触部を有し湾曲状に形成された弾性片部を含み、前記コンタクトは、前記第１部分から延設された延設部を含み、前記延設部に前記第１接触部が配置されていることを特徴とする、コネクタ取付構造である。
この発明によれば、弾性片部と電力供給基板との弾性的な接触により、弾性片部の第２接触部を、電極に対してより確実に接触させることができる。しかも、平板状に形成されたことにより剛性の高い第１部分から、延設部が延設されている。これにより、延設部の第１接触部が基板の端子と接触しているときの基板からの反力を、第１部分で確実に受けることができる。したがって、基板からの反力が第２接触部と電力供給基板との接触状態に影響を与えることを抑制できる。
【００３９】
請求項２６記載の発明は、請求項１９〜２５の何れか１項において、前記基板または前記電力供給基板が前記シャーシに固定されていることを特徴とする、コネクタ取付構造である。
この発明によれば、基板または電力供給基板をシャーシに固定することにより、互いに結合された基板、コネクタおよび電力供給基板を一括してシャーシに固定できる。これにより、基板、コネクタおよび電力供給基板をシャーシに取り付けるための取付部材の数を少なくでき、且つ、基板、コネクタおよび電力供給基板をシャーシに取り付ける手間を少なくできる。
【図面の簡単な説明】
【００４０】
【図１】この発明の一実施形態にかかるコネクタ取付構造を備えるバックライト装置の主要部を正面に視た斜視図である。
【図２】バックライト装置の主要部を右斜めから視た分解斜視図である。
【図３】コネクタ周辺の正面図である。
【図４】（Ａ）は、コンタクトの右側面図であり、図４（Ｂ）は、コンタクトを後方から視た図であり、図４（Ｃ）は、コンタクトを左斜め後方から視た斜視図である。
【図５】コネクタ周辺の断面図であり、コネクタを左側から視た状態を示している。
【図６】コネクタおよび一対の被覆電線の一端部の斜視図である。
【図７】（Ａ）および（Ｂ）は、バックライト装置の組み立ておよび分解について説明するための斜視図である。
【図８】（Ａ）および（Ｂ）は、この発明の別の実施形態の主要部を示す斜視図である。
【図９】この発明の別の実施形態の主要部を示す断面図である。
【図１０】この発明のさらに別の実施形態にかかるコネクタ取付構造を備えるバックライト装置の分解斜視図である。
【図１１】バックライト装置の主要部の斜視図である。
【図１２】電力供給基板の主要部の背面図である。
【図１３】図１１のＸＩＩＩ−ＸＩＩＩ線に沿う断面図である。
【図１４】コネクタの斜視図である。
【図１５】バックライト装置の組み立てについて説明するための主要部の断面図である。
【図１６】バックライト装置の組み立てについて説明するための主要部の斜視図である。
【発明を実施するための形態】
【００４１】
以下には、図面を参照して、この発明の実施形態について具体的に説明する。
図１は、この発明の一実施形態にかかるコネクタ取付構造を備えるバックライト装置１の主要部を正面に視た斜視図である。図２は、バックライト装置１の主要部を右斜めから視た分解斜視図である。
図１を参照して、バックライト装置１は、たとえば、液晶パネル等の非自発光式の表示部材に光を照射するためのバックライト装置である。このバックライト装置１は、たとえば、液晶テレビなどの液晶表示装置に備えられており、液晶パネルの後方に配置されようになっている。また、このバックライト装置１は、液晶パネルの後方に配置される光拡散板の上下のエッジにＬＥＤが配置された、エッジ式のバックライト装置である。
【００４２】
なお、以下では、前後、左右および上下の方向についていうときは、バックライト装置１を図１に示すように正面に視たときの左右、上下および前後をいうものとする。
バックライト装置１は、筐体としてのシャーシ２と、シャーシ２に支持された発光ユニット３およびハーネス４と、を備えている。
シャーシ２は、金属製の一体成形品であり、厚みが１ｍｍ程度の板状に形成されている。このシャーシ２は、矩形板状の主壁５と、主壁５の外周縁部５ａから前方（手前）に向けて垂直に延びる縦壁としての周壁６とを含んでいる。なお、図１では、シャーシ２および周壁６のうち、一部のみが示されている。
【００４３】
周壁６は、主壁５の上端縁部５ｂから前方に立ち上がる第１縦壁としての上壁７と、主壁５の左端縁部５ｃから前方に立ち上がる第２縦壁としての左壁８とを含んでいる。なお、図１では図示していないけれども、周壁６は、主壁５の外周縁部５ａの全周に形成されている。
図２に示すように、上壁７は、左右方向Ｘ１に沿って延びている。左壁８は、上下方向Ｙ１に沿って延びている。左壁８の上端と上壁７の左端とは、連続しており、協働して周壁６の隅部９を形成している。この隅部９（上壁７の左端）には、上方向Ｙ２に向けて窪んだ窪み部１１が形成されている。このように、窪み部１１は、シャーシ２の外側に向けて窪んでいる。窪み部１１の幅（左右方向Ｘ１の長さ）は、約１０ｍｍ程度である。
【００４４】
上記の構成により、周壁６および主壁５の協働によって、シャーシ内空間１２が形成されている。また、主壁５および周壁６の協働によって、収容溝１３が形成されている。より具体的には、収容溝１３は、主壁５と、窪み部１１と、左壁８との協働によって形成されている。収容溝１３は、ハーネス４を収容するために形成されている。収容溝１３は、主壁５の主面５ｄを後方に窪ませることにより形成されており、正面視でクランク形状に形成されている。収容溝１３の底面は、第１底面１５および第２底面１６を含んでいる。第１底面１５は、主壁５の左上端部に配置されている。第２底面１６は、第１底面１５と比べて主壁５の主面５ｄからの深さが浅くされている。
【００４５】
この収容溝１３の前方（手前）には、光拡散シート（図示せず）が配置されるようになっている。光拡散シートは、主壁５の主面５ｄ上に配置されて、発光ユニット３からの光を拡散させるようになっている。
発光ユニット３は、基板本体２１および端子部２２を含む基板２０と、基板本体２１に実装された発光素子としての複数のＬＥＤ（Light Emitting Diode）２３とを含んでいる。
【００４６】
基板２０は、たとえば、アルミニウム合金などの金属製の材料の表面に絶縁性の第１レジスト層が形成された構成を有している。基板２０は、さらに、第１レジスト層上に導体パターンが形成され、さらにその上に第２レジスト層が形成された構成を有している。このように、基板２０は、放熱性に優れたアルミニウム合金などの金属製の材料を母材として形成されている。
基板２０は、Ｌ字の板状に形成されており、基板本体２１と、端子部２２とを含んでいる。基板２０の基板本体２１は、主壁５の上端縁部５ｂと平行な左右方向Ｘ１に細長く延びる矩形形状に形成されている。左右方向Ｘ１に関する基板本体２１の中間部には、ねじ挿通孔２１ａが形成されている。
【００４７】
基板２０の端子部２２は、基板本体２１の後縁部２１ｂから後方向Ｚ３に向けて突出しており、矩形形状に形成されている。また、端子部２２は、基板２１の左端部２１ｃ（基板２０の長手方向の一部である一端部）に配置されている。端子部２２が設けられていることにより、基板２０は、カードエッジ型の基板となっている。端子部２２には、一対の端子２４，２５が形成されている。一対の端子２４，２５は、基板２０の実装面２０ａ（基板２０の表面）に露出している。これら一対の端子２４，２５は、左右方向Ｘ１に並んで配置されている。一対の端子２４，２５は、それぞれ、基板２０の内部で、各ＬＥＤ２３の正極および負極と電気的に接続されている。各基板端子２４，２５は、基板２０の実装面２０ａに露出した部分が矩形形状をしており、前後方向Ｚ１に延びている。
【００４８】
各ＬＥＤ２３は、白色ダイオードなどであり、基板２０の実装面２０ａに実装されている。なお、基板本体２１に実装されるＬＥＤの数は、１つ以上であればよく、特に限定されない。各ＬＥＤ２３は、左右方向Ｘ１に等間隔に配置されており、実装面２０ａに固定されている。各ＬＥＤ２３は、矩形形状に形成されており、実装面２０ａと直交する方向（下方向Ｙ３）を向いている。これにより、各ＬＥＤ２３は、シャーシ内空間１２に光を照射するようになっている。
【００４９】
各ＬＥＤ２３のうち、基板２０の左端に配置されたＬＥＤ２３１は、整列発光素子として設けられている。ダイオード２３１は、端子部２２、収容溝１３および後述するコネクタ３３のハウジング３６と、前後方向Ｚ１（第２方向Ｄ２）に整列されている。各ＬＥＤ２３は、端子部２２の前方（手前）に配置されている。すなわち、左右方向Ｘ１に並ぶ各ＬＥＤ２３の後端をつないで形成される面に対して、端子部２２が後方に配置されている。
【００５０】
基板２０は、固定部材としての固定ねじ２７を用いて、シャーシ２の上壁７に固定されている。具体的には、上壁７にねじ孔７ａが形成されている。固定ねじ２７は、基板本体２１のねじ挿通孔２１ａを挿通し、かつ、上壁７のねじ孔７ａに結合されている。これにより、基板２０は、上壁７に沿うようにしてこの上壁７に固定されており、前後方向Ｚ１と平行に配置されている。すなわち、基板２０は、主壁５に対して立ち上がる第１方向Ｄ１と平行に配置されている。第１方向Ｄ１は、前方向Ｚ２と同じ方向である。このように、基板２０は、主壁５に対して立ち上がるように垂直に配置されている。
【００５１】
図１を参照して、ハーネス４は、主壁５の後方に配置された電源回路２８と発光ユニット３とを電気的に接続するために設けられている。ハーネス４は、収容溝１３に収容されている。
ハーネス４は、一対の被覆電線３１，３２と、これら一対の被覆電線３１，３２に接続されたコネクタ３３とを含んでいる。
【００５２】
一対の被覆電線３１，３２は、コネクタ３３と電源回路２８とを電気的に接続するための接続部材である。各被覆電線３１，３２は、左右方向Ｘ１に横並びに配置されており、収容溝１３に収容されている。各被覆電線３１，３２の一端部３１ａ，３２ａは、コネクタ３３に接続されている。各被覆電線３１，３２の他端部３１ｂ，３２ｂは、シャーシ２の主壁５の収容溝１３の第２底面１６に形成された貫通孔５ｅを通って主壁５の後方に延びており、電源回路２８に接続されている。各被覆電線３１，３２のうち、一端部３１ａ，３２ａおよびその近傍が第１底面１５に沿わされており、他端部３１ｂ，３２ｂおよび中間部３１ｃ，３２ｃが、第２底面１６に沿わされている。
【００５３】
コネクタ３３は、収容溝１３に収容されている。図３は、コネクタ３３周辺の正面図であり、一部を断面で示している。図３では、コネクタ３３に基板２０が接続されていない状態を示している。図３に示すように、コネクタ３３は、左右一対の導電性のコンタクト３４，３４と、これらのコンタクト３４，３４を支持する絶縁性のハウジング３６とを含んでいる。
【００５４】
一対のコンタクト３４，３４は、左右方向Ｘ１に横並びに配置された状態で、ハウジング３６に支持されている。なお、一対のコンタクト３４，３４は、同様の構成を有しているので、以下では、左側のコンタクト３４について主に説明し、右側のコンタクト３４の詳細な説明は省略する。
図４（Ａ）は、コンタクト３４の右側面図であり、図４（Ｂ）は、コンタクト３４を後方から視た図であり、図４（Ｃ）は、コンタクト３４を左斜め後方から視た斜視図である。図４（Ａ）、図４（Ｂ）および図４（Ｃ）を参照して、コンタクト３４は、厚みが１ｍｍ未満程度の薄い金属板をプレス成形し、かつ所定の形状に曲げて形成された一体成形品である。
【００５５】
コンタクト３４は、Ｌ字形状に形成された一体成形品であり、互いに直交する第１部分４１と第２部分４２とを含んでいる。
第１部分４１は、被覆電線３１の一端部３１ａにおいて被覆部３８から外部に露出している芯線３７に接続するために設けられている。第１部分４１は、主壁５の収容溝１３の第１底面１５と平行に（上下に）延びるように配置されている。第１部分４１は、上下方向Ｙ１に延びる第１部分本体４４と、第１部分本体４４の下端部に配置され被覆電線３１の一端部３１ａの被覆部３８に固定される第１固定部４５と、第１部分本体４４の中間部に設けられ被覆電線３１の芯線３７に固定される第２固定部４６とを含んでいる。第２固定部４６は、被覆電線３１の芯線３７に圧着されており、この芯線３７に電気的に接続されている。
【００５６】
図５は、コネクタ３３周辺の断面図であり、コネクタ３３を左側から視た状態を示している。図５を参照して、コンタクト３４の第２部分４２は、基板２０の端子部２２の端子２４と電気的に接続するために設けられている。第２部分４２は、第１部分本体４４の上端部から前方向Ｚ２（第１方向Ｄ１）に立ち上がっており、収容溝１３の第１底面１５から離れる方向に延びている。
【００５７】
図４（Ａ）、図４（Ｂ）および図４（Ｃ）を参照して、第２部分４２は、第２部分本体４８と、固定片部４９と、弾性片部５０とを含んでいる。
第２部分本体４８は、左片部４８ａと、上片部４８ｂと、下片部４８ｃと、右片部４８ｄとを含んでいる。左片部４８ａは、第１部分本体４４の上端部から前方向Ｚ２に延びている。上片部４８ｂは、左片部４８ａの後部上端から右方に延びている。
【００５８】
下片部４８ｃは、左片部４８ａの前部下端から右方に延びている。下片部４８ｃと上片部４８ｂとは、前後方向Ｚ１の位置がずらされている。下片部４８ｃは、弾性片部５０と上下方向Ｙ１に並んでいる。
右片部４８ｄは、下片部４８ｃの右端から上方向Ｙ２に延びている。右片部４８ｄ、下片部４８ｃおよび左片部４８ａによって、弾性片部５０を保護する保護壁４８ｅが形成されている。
【００５９】
図５を参照して、固定片部４９は、コンタクト３４をハウジング３６に固定するために設けられている。固定片部４９は、下片部４８ｃから後斜め下に延びている。
弾性片部５０は、基板２０の端子部２２の端子２４と電気的に接続するために設けられている。この弾性片部５０は、下片部４８ｃの前端から延びる屈曲部５０ａと、屈曲部５０ａに連続する山形部５０ｂとを含んでいる。
【００６０】
図４（Ａ）を参照して、屈曲部５０ａは、保護壁４８ｅの内部に配置されている。屈曲部５０ａは、前方向Ｚ２に向けて凸となる滑らかな湾曲状に形成されている。
山形部５０ｂは、上方向Ｙ２に向けて凸となる山形形状に形成されており、頂部を含む一部が保護壁４８ｅの上方に配置されている。山形部５０ｂの頂部に接触部５０ｃが設けられている。接触部５０ｃは、端子に接触するために設けられている。
【００６１】
図５を参照して、ハウジング３６は、収容溝１３の第１底面１５に沿って配置されている。ハウジング３６の全体が、収容溝１３内に配置されている。また、ハウジング３６の一部が、シャーシ２の窪み部１１内に配置されている。これにより、ハウジング３６は、主壁５と基板２０との間に配置されている。
ハウジング３６は、合成樹脂製の一体成形品である。ハウジング３６は、収容溝１３の第１底面１５と前後方向Ｚ１に隣接する脚部５１と、脚部５１から前方向Ｚ２に向けて延びる頭部５２とを含んでいる。
【００６２】
図６は、コネクタ３３および一対の被覆電線３１，３２の一端部３１ａ，３２ａの斜視図である。図５および図６に示すように、脚部５１は、主壁５の第１底面１５上に配置されている。脚部５１は、外周部５４と、外周部５４内に配置された仕切り部５５と、外周部５４の前端に配置された天板部５６とを含んでいる。外周部５４は、上下方向Ｙ１に長い矩形の枠形状に形成されている。この外周部５４の下端部には切欠５７が形成されており、外周部５４内の空間が下方に開放されている。また、外周部５４は、後方向Ｚ３に向けて開放されている。すなわち、外周部５４内の空間は、主壁５の第１底面１５に向けて開放されている。
【００６３】
仕切り部５５は、左右方向Ｘ１に関する外周部５４の中央に配置されている。仕切り部５５によって、外周部５４内の空間が左右２つに仕切られている。これにより、外周部５４内において、仕切り部５５の左側および右側に一対の第１収容部６１，６１が形成されている。これらの第１収容部６１，６１は、接続部材収容部として設けられている。
左側の第１収容部６１には、左側の被覆電線３１の一端部３１ａおよびこの一端部３１ａに固定された左側のコンタクト３４の第１部分４１が収容されている。左側の被覆電線３１の一端部３１ａは、外周部５４の下端の切欠５７を通って下方に延びている。
【００６４】
図３および図５を参照して、天板部５６は、外周部５４の前方に配置されており、外周部５４の下側半部を覆っている。天板部５６には、一方の被覆電線３１の一端部３１ａが近接している。また、一方の被覆電線３１の一端部３１ａは、収容溝１３の第１底面１５から離隔して配置されている。これにより、一方の被覆電線３１の芯線３７と第１底面１５との距離が遠くされている。したがって、外周部５４の後端を塞ぐことなく、一方の被覆電線３１の芯線３７から電流がリークし難くされている。
【００６５】
また、前述したように、収容溝１３の第２底面１６は、第１底面１５よりも主面５ｄからの深さが浅くされており、収容溝１３内において、第２底面１６上に、一対の被覆電線３１，３２の中間部３１ｃ，３２ｃが配置されている（図５において、中間部３２ｃは図示せず）。
頭部５２は、脚部５１の上側半部から前方向Ｚ２に向けて柱状に延びている。頭部５２と、外周部５４とは、左右方向Ｘ１の幅が一致しており、かつ、左右方向Ｘ１の位置が揃えられている。また、頭部５２の上端の位置と外周部５４の上端の位置とが揃えられている。
【００６６】
頭部５２は、一方の第１収容部６１に連続している第２収容部６２と、挿入凹部６３とを含んでいる。第２収容部６２は、頭部５２の下部に形成されている。この第２収容部６２は、左側のコンタクト３４の第２部分４２を収容するために設けられており、脚部５１から前方向Ｚ２に延びている。第２収容部６２の内側面には、固定溝６４が形成されている。固定溝６４にコンタクト３４の固定片部４９が配置されている。固定溝６４の後端は、段部となっており、この段部に固定片部４９の後端が受けられている。これにより、一方のコンタクト３４がハウジング３６に保持されている。
【００６７】
上記の構成により、第１収容部６１および第２収容部６２を含むコンタクト収容部６０が形成されている。コンタクト収容部６０には、ハウジング３６の後方から前方向Ｚ２に向けてコンタクト収容部６０内に挿入された左側のコンタクト３４が配置されている。
上記した、コンタクト収容部６０は、仕切り部５５の右側にも同様に配置されており、この右側のコンタクト収容部６０に、右側のコンタクト３４が配置されている。右側のコンタクト収容部６０における右側のコンタクト３４の収容の態様は、左側のコンタクト収容部６０における左側の一方のコンタクト３４の収容の態様と同様であるので、詳細な説明は省略する。
【００６８】
挿入凹部６３は、頭部５２において第２収容部６２の上方に形成されており、脚部５１に対して第１方向Ｄ１側に延びており、頭部５２の前端面に開放されている。この挿入凹部６３は、第１方向Ｄ１と反対の第２方向Ｄ２（後方向Ｚ３）に沿って変位する基板２０の端子部２２を挿入可能となっている。挿入凹部６３内の形状は、基板２０の端子部２２の外形形状と合致している。挿入凹部６３内には、一対のコンタクト３４，３４の弾性片部５０，５０の接触部５０ｃ，５０ｃが配置されている。
【００６９】
一対の接触部５０ｃ，５０ｃは、左右方向Ｘ１に並んで配置されている。一対の接触部５０ｃ，５０ｃには、挿入凹部６３に挿入された端子部２２の一対の端子２４，２５が接触するようになっている。挿入凹部６３内に端子部２２が挿入されたとき、各コンタクト３４，３４の弾性片部５０，５０は、弾性変形する。このとき、基板本体２１の後縁部２１ｂは、頭部５２の前端面５２ｂに受けられる。
【００７０】
ハウジング３６の上部３６ａ、すなわち、脚部５１の上部および頭部５２の上部は、シャーシ２の窪み部１１内に配置されている。これにより、上壁７に固定された基板２０の端子部２２と、挿入凹部６３とが上下方向Ｙ１の位置を合わされている。
図３を参照して、バックライト装置１には、コネクタ３３をシャーシ２の収容溝１３内に保持するための保持機構６６が備えられている。保持機構６６は、コネクタ３３のハウジング３６と収容溝１３とを摩擦力によって保持するようになっている。具体的には、保持機構６６は、収容溝１３の第１側面７１および第２側面７２と、ハウジング３６に形成された第１突起８１および第２突起８２と、を含んでいる。
【００７１】
第１側面７１および第２側面７２は、保持部として設けられている。第１側面７１は、シャーシ２の左壁８の内側面のうち、収容溝１３を形成している部分であり、平坦な面に形成されている。第２側面７２は、シャーシ２の主壁５によって形成された平坦な面である。第１側面７１および第２側面７２は、左右方向Ｘ１に対向している。第１側面７１の後端縁および第２側面７２の後端縁は、第１底面１５を介して連続している。
【００７２】
第１突起８１および第２突起８２は、第１側面７１および第２側面７２に挟まれている。第１突起８１および第２突起８２は、被保持部として設けられており、ハウジング３６に一体成形されている。第１突起８１および第２突起８２は、左右対称に形成されている。第１突起８１は、脚部５１の左側面５４ａの中央部に配置されている。第１突起８１の先端は、第１側面７１と平行な平坦な面となっている。第２突起８２は、脚部５１の右側面５４ｂの中央部に配置されている。第２突起８２の先端は、第２側面７２と平行な平坦な面となっている。
【００７３】
第１突起８１の先端と第２突起８２の先端との間の左右方向Ｘ１の距離は、コネクタ３３が収容溝１３に配置されていないときの第１側面７１と第２側面７２との間の左右方向Ｘ１の距離と比べて、わずかに長くされている。これにより、ハウジング３６が収容溝１３に収容されたとき、第１突起８１は、第１側面７１に受けられて摩擦接触し、第２突起８２は、第２側面７２に受けられて摩擦接触する。すなわち、第１突起８１は第１側面７１に受けられ、第２突起８２は、第２側面７２に受けられる。これにより、ハウジング３６が収容溝１３内に保持される。
【００７４】
以上の概略構成を有するバックライト装置１の組み立ての主要点について、説明する。バックライト装置１を組み立てるときには、まず、図２に示すように、ハーネス４を、収容溝１３の前方に配置する。次に、ハーネス４のコネクタ３３および一対の被覆電線３１，３２を、シャーシ２に対して第２方向Ｄ２（後方向Ｚ３）に変位させる。これにより、図３および図７（Ａ）に示すように、ハーネス４のコネクタ３３および一対の被覆電線３１，３２を、収容溝１３内に配置する。このとき、保持機構６６の第１突起８１および第２突起８２が、収容溝１３の対応する第１側面７１および第２側面７２に摩擦接触する。これにより、ハウジング３６が収容溝１３に保持される。
【００７５】
次に、発光ユニット３を、シャーシ２の前方に配置する。この状態から、発光ユニット３を、第２方向Ｄ２（後方向Ｚ３）に変位させる。これにより、図７（Ｂ）に示すように、発光ユニット３の端子部２２が、コネクタ３３の挿入凹部６３に挿入される。これにより、図５に示すように、コンタクト３４の弾性片部５０が弾性変形しつつ、端子部２２の各端子２４，２５が対応する接触部５０ｃ，５０ｃに接触する（図５では、端子２５および端子２５に接触する接触部５０ｃについて図示せず）。
【００７６】
次いで、固定ねじ２７を基板本体２１のねじ挿通孔２１ａに挿通し、かつ、シャーシ２の上壁７のねじ孔７ａにねじ結合する。これにより、基板２０が上壁７に固定される。
一方、バックライト装置１を分解するときには、まず、図７Ｂに示すように、固定ねじ２７を上壁７から取り外す。次いで、図７（Ａ）に示すように、発光ユニット３を主壁５に対して第１方向Ｄ１（前方向Ｚ２）に変位させる。これにより、発光ユニット３の基板２０とコネクタ３３との接続が解除され、一対のコンタクト（図示せず）と一対の端子２４，２５との接続が解除される。次に、図２に示すように、ハーネス４を、主壁５に対して第１方向Ｄ１（前方向Ｚ２）に変位することで、収容溝１３から取り外す。
【００７７】
以上説明したように、この実施形態によれば、主壁５に対して立ち上がる方向（第１方向Ｄ１）と反対の第２方向Ｄ２に沿って基板２０を変位させることにより、基板２０の端子部２２を、ハウジング３６の挿入凹部６３に挿入でき、同時に、基板２０の端子２４，２５を、対応するコンタクト３４，３４の接触部５０ｃ，５０ｃと電気的に接続することができる。
【００７８】
すなわち、シャーシ２の主壁５の手前の広い空間から、基板２０を第２方向Ｄ２（後方向Ｚ３）に沿ってコネクタ３３に向けて変位させることにより、基板２０をコネクタ３３に接続できる。したがって、基板２０をコネクタ３３に接続する作業を容易に行うことができる。
さらに、基板２０をコネクタ３３から取り外すときは、基板２０をコネクタ３３に対して前方向Ｚ２（第１方向Ｄ１）に変位させればよい。すなわち、基板２０を基板２０の前方の広い空間に向けて引っ張ればよい。このため、基板２０をコネクタ３３から取り外す際に、基板２０を、コネクタ３３の周囲の狭い空間で、主壁５の主面５ｄと平行な方向（上下方向Ｙ１および左右方向Ｘ１）に変位させる必要がない。したがって、基板２０の交換などの際に、基板２０をコネクタ３３から取り外す作業を、容易に行うことができる。
【００７９】
また、シャーシ２の主壁５手前の広い空間から、基板２０をコネクタ３３に取り付けることができるので、基板２０を把持するためのスペースを広く確保できる。これにより、基板２０を、作業者の手やロボットアームなどで強く把持でき、しかも基板２０を動かし易いので、基板２０の端子部２２を、コネクタ３３の挿入凹部６３に確実に挿入できる。したがって、基板２０の各端子２４，２５とコンタクト３４の対応する接触部５０ｃ，５０ｃとを確実に接触させることができる。これにより、接続不良をより確実に抑制できる。
【００８０】
さらに、基板２０の端子部２２をコネクタ３３の挿入凹部６３に差し込むようになっている。このように、基板２０が直接コネクタに差し込まれるようになっている。これにより、基板２０には、コネクタ３３に接続するための別のコネクタ（雄コネクタなど）を実装する必要がない。したがって部品点数を低減できる。
また、上記別のコネクタを設けなくてもよいので、バックライト装置１の小型化を実現できる。さらに、基板２０とコネクタ３３とを接続する際、シャーシ２の主壁５の近傍で基板２０とコネクタ３３とを主壁５の主面方向（左右方向Ｘ１におよび上下方向Ｙ１）に相対移動させる必要がない。これにより、基板２０やコネクタ３３の周辺に、基板２０とコネクタ３３とを主壁５の主面方向に相対移動させるためのスペースを設けなくてもよい。これにより、周壁６のすぐ近傍にまでＬＥＤ２３（２３１）を配置することができる。これにより、バックライト装置１の左壁８の周辺において、更なる小型化を達成できる。
【００８１】
また、端子部２２は、基板本体２１の左端部２１ｃに配置されている。このように、端子部２２を、基板本体２１の長手方向の一部である端部にのみ配置することで、バックライト装置１のさらなる小型化を達成できる。また、基板２０をコネクタ３３に接続する際、基板２０からコネクタ３３に伝わる力は、基板本体２１の左端部２１ｃに配置された端子部２２に集中する。これにより、端子部２２を挿入凹部６３に嵌め込む作業を、少ない力で容易に行うことができる。
【００８２】
さらに、ＬＥＤ２３１は、端子部２２とは第２方向Ｄ２に整列されている。この構成により、端子部２２とＬＥＤ２３１と主壁５とが真っ直ぐに並ぶ向きが、第２方向Ｄ２となる。これにより、端子部２２と、ＬＥＤ２３１と、主壁５とが真っ直ぐ並ぶようにした状態で、基板２０をコネクタ３３に向けて変位させると、第２方向Ｄ２に沿って基板２０をコネクタ３３に向けて変位することになる。
【００８３】
したがって、ＬＥＤ２３１および端子部２２を、コネクタ３３への基板２０の差し込み方向（第２方向Ｄ２）を示す案内部材として用いることができる。これにより、基板２０を、より容易にかつ正確にコネクタ３３に組み付けることができる。また、端子部２２とＬＥＤ２３１とを第２方向Ｄ２に並べることにより、基板２０の左右方向Ｘ１の長さを短くできる。これにより、バックライト装置１の更なる小型化を達成できる。
【００８４】
さらに、固定ねじ２７を用いて基板本体２１をシャーシ２に固定している。これにより、シャーシ２に、基板本体２１を保持する機能を兼用させることができる。したがって、基板を固定するための専用の台座が不要であり、バックライト装置１の更なる小型化を達成できる。また、基板本体２１をシャーシ２に固定するので、基板本体２１の位置がシャーシ２に対して振動や衝撃等でずれることが規制されている。その結果、基板２０がコネクタ３３から外れて接続不良が生じることをより確実に抑制できる。
【００８５】
また、上壁７と基板本体２１とを平行に沿わせた状態で、基板本体２１を上壁７に固定している。これにより、上壁７および基板２０が全体として占めるスペースを少なくできるので、バックライト装置１の更なる小型化を達成できる。
さらに、ハウジング３６は、主壁５と基板２０との間に配置されており、ハウジング３６内のコンタクト収容部６０は、主壁５に向けて解放されている。すなわち、主壁５とハウジング３６と基板２０の左端部２０ｃとを前後方向Ｚ１に重ねて配置できるので、バックライト装置１をより小型化（薄型化）できる。さらに、ハウジング３６内の空間と、主壁５との間には、ハウジング３６の壁が設けられていない。これにより、前後方向Ｚ１に関するハウジング３６の高さを低くできるので、バックライト装置１をより小型化（薄く）できる。
【００８６】
また、挿入凹部６３を、脚部５１から第１方向Ｄ１に延びるように配置している。これにより、ハウジング３６のうち、各コンタクト３４，３４の接触部５０ｃ，５０ｃを収容する部分の周辺だけを脚部５１から延ばすことができるので、コネクタ３３を小型にできる。その結果、バックライト装置１をさらに小型化できる。また、各コンタクト３４の接触部５０ｃ，５０ｃを、コネクタ３３のうち第１方向Ｄ１の先端部に近い位置に配置できる。このため、基板２０を挿入凹部６３に差し込み始めた時点から、基板２０の各端子２４，２５に、対応するコンタクト３４の接触部５０ｃ，５０ｃを接触させることができる。これにより、基板２０の各端子２４，２５と各コンタクト３４，３４の対応する接触部５０ｃ，５０ｃとをより確実に接触させることができる。したがって、接続不良をより確実に抑制できる。
【００８７】
さらに、各コンタクト３４，３４の接触部５０ｃ，５０ｃとシャーシ２の主壁５との間に、被覆電線３１，３２の一端部３１ａ，３２ａを配置できる。これにより、ハウジング３６内のスペースを有効活用できるので、バックライト装置１の更なる小型化を達成できる。
また、各コンタクト３４，３４の第１部分４１，４１は主壁５と平行に配置され、第２部分４２，４２は第１部分４１，４１から第１方向Ｄ１に立ち上がるように配置されている。これにより、シャーシ２の主壁５からの各コンタクト３４，３４の高さを低くできる。これにより、バックライト装置１の更なる小型化を達成できる。
【００８８】
さらに、シャーシ２の主壁５と平行に延びる各コンタクト３４，３４の第１部分４１，４１に、対応する被覆電線３１，３２の一端部３１，３２ａを接続している。これにより、各第１部分４１，４１をシャーシ２の主壁５と平行に這わせることができる。その結果、第１方向Ｄ１に関してバックライト装置１が占めるスペースをより少なくでき、バックライト装置１の更なる小型化を達成できる。
【００８９】
また、各コンタクト３４，３４のうち、第２部分４２，４２に接触部５０ｃ，５０ｃが配置されている。これにより、第２方向Ｄ２に概ね沿うように各第２部分４２，４２が配置されているので、挿入凹部６３に挿入された端子部２２の各端子２４，２５と、第２部分４２，４２との互いの対向部分を、第２方向Ｄ２に関してより長くできる。これにより、基板２０の各端子２４，２５と、各コンタクト３４，３４の第２部分４２，４２の接触部５０ｃ，５０ｃとをより確実に接触でき、接続不良をより確実に抑制できる。しかも、各第１部分４１，４１は主壁５の主面５ｄと平行であるので、コネクタ３３が大型にならずに済み、バックライト装置１の小型化を達成できる。
【００９０】
さらに、主壁５に溝形状（収容溝１３）が形成されていることにより、主壁５の曲げ強度をより高くできる。これにより、シャーシ２の主壁５の強度を確保しつつ、主壁５をより薄肉にできる。したがって、バックライト装置１の更なる小型化を達成できる。また、収容溝１３を形成するためには、主壁５のうち、コネクタ３３を収容する部分等の一部のみを窪ませればよい。したがって、主壁５が占有するスペースを少なくでき、バックライト装置１の更なる小型化を達成できる。
【００９１】
また、保持機構６６を用いることで、コネクタ３３を主壁５に一定の保持力で保持できる。これにより、コネクタ３３が衝撃や振動で主壁５に対して不用意に変位することを抑制できる。その結果、コネクタ３３が基板２０から外れることを、より確実に抑制できるので、接続不良をより確実に抑制できる。
より具体的には、シャーシ２の収容溝１３に形成された第１側面７１および第２側面７２と、対応する第１突起８１および第２突起８２との結合により、コネクタ３３が基板２０から外れることをより確実に抑制できるので、接続不良をより確実に抑制できる。
【００９２】
しかも、コネクタ３３のハウジング３６をシャーシ２に対して第２方向Ｄ２に変位させるという簡易な方法で、ハウジング３６を収容溝１３に保持できる。すなわち、平坦な第１側面７１および第２側面７２と対応する第１突起８１および第２突起８２とを摩擦接触させるという簡易な方法で、ハウジング３６を収容溝１３に保持できる。
これにより、接続不良を抑制しつつ、コネクタ３３を主壁５に組み付ける作業をより容易に行うことができる。しかも、第１側面７１および第２側面７２は、平坦であるので、対応する第１突起８１および第２突起８２が接触可能な範囲が広い。したがって、コネクタ３３のハウジング３６を収容溝１３に取り付ける際に、収容溝１３に対するハウジング３６の位置決めの精度を高くする必要がない。これにより、コネクタ３３を主壁５に取り付ける作業をよりより一層容易にできる。
【００９３】
また、主壁５は、大型のパネルであるので、複雑で精度の高い形状を比較的形成し難い。この点を考慮し、主壁５の第１側面７１および第２側面７２は、シンプルな形状である平坦部とされている。一方で、樹脂の射出成形等で複雑な形状に比較的製造し易いハウジング３６に、第１突起８１および第２突起８２を設けている。これにより、保持機構６６をより容易に形成できる。
【００９４】
さらに、コネクタ３３を収容する収容溝１３に、被覆電線３１，３２を収容することができる。これにより、収容溝１３内の空間を有効活用できる。その結果、バックライト装置１をより小型化できる。
また、収容溝１３のうち、コネクタ３３を収容している第１底面１５周辺の部分の深さよりも、被覆電線３１，３２の中間部３１ｃ，３２ｃを収容している第２底面１６周辺部分の深さが浅い。このように、収容溝１３に収容する部材の形状に合わせて収容溝１３の深さを変更している。これにより、収容溝１３内の空間を有効活用できる。その結果、バックライト装置１をより小型化できる。
【００９５】
さらに、シャーシ２の周壁６と主壁５との協働により収容溝１３が形成されている。これにより、周壁６を収容溝１３として活用できる。これにより、周壁６周辺の空間を有効活用できる。その結果、バックライト装置１をより小型化できる。また、周壁６に窪み部１１が形成されていることにより、シャーシ２の曲げ強度をより高くできる。これにより、シャーシ２の強度を確保しつつ、シャーシ２をより薄肉にできる。これにより、バックライト装置１の更なる小型化を達成できる。
【００９６】
この発明は、以上の実施形態の内容に限定されるものではなく、請求項記載の範囲内において種々の変更が可能である。なお、以下では、上記実施形態と異なる点について主に説明し、上記実施形態と同様の構成には、図に同様の符号を付して説明を省略する。
たとえば、基板２０に代えて、図８（Ａ）および図８（Ｂ）に示す基板２０Ａを用いてもよい。基板２０Ａが基板２０と異なっているのは、基板本体２１の左端部２１ｃに端子部２２が設けられていることに加え、基板本体２１の右端部２１ｄに端子部２２Ａが設けられている点にある。端子部２２と端子部２２Ａとは左右対称な形状に形成されており、基板２０Ａが全体として下向きのＣ字状に形成されている。
【００９７】
端子部２２Ａの端子２４Ａ，２５Ａは、複数のＬＥＤ２３のうちたとえば右側半分のＬＥＤ２３と電気的に接続されている。また、端子部２２の端子２４，２５は、複数のＬＥＤ２３のうちたとえば左側半分のＬＥＤ２３と電気的に接続されている。
バックライト装置１Ａには、端子部２２Ａに接続されるハーネス４Ａおよびこのハーネス４Ａを収容する収容溝１３Ａが形成されている。ハーネス４Ａは、ハーネス４と左右対称な構成とされており、収容溝１３Ａは、収容溝１３と左右対称な構成とされている。基板２０Ａの端子部２４Ａ，２５Ａには、ハーネス４Ａのコネクタ３３Ａの対応する一対の接触部が接続されるようになっている。
【００９８】
また、各上記実施形態において、収容溝１３，１３Ａには、コネクタ３３，３３Ａの全部が収容されている必要はなく、一部のみが収容溝１３，１３Ａに収容されていてもよい。
さらに、図９に示すように、コネクタ３３のハウジング３６に、合成樹脂などの絶縁性のリテーナ８４を設けてもよい。リテーナ８４は、矩形の板状に形成されており、ハウジング３６の外周部５４を後方から覆っている。リテーナ８４は、ハウジング３６の外周部５４と収容溝１３の第１底面１５との間に配置されている。リテーナ８４は、図示しない爪部などを用いて、外周部５４に取り外し可能に取り付けられている。これにより、コンタクト３４を流れる電流がシャーシ２にリークすることをより確実に防止できる。
【００９９】
さらに、保持機構６６の第１突起８１および第２突起８２を省略してもよい。この場合、ハウジング３６の左側面が、収容溝１３の第１側面７１に摩擦接触し、ハウジング３６の右側面が、収容溝１３の第２側面７２に摩擦接触する。
また、ハウジング３６の第１側面７１および第２側面７２にそれぞれ突起を形成し、これらの突起がハウジング３６の左側面および右側面に摩擦接触するようにしてもよい。
【０１００】
さらに、コネクタ３３をシャーシ２の収容溝１３に取り付けた後、基板２０をコネクタ３３に接続する構成を説明したけれども、これに限定されない。コネクタ３３をシャーシ２の収容溝１３に取り付ける前に、コネクタ３３を基板２０の端子部２２に接続してもよい。この場合、コネクタ３３と基板２０とが結合されたサブアセンブリを、シャーシ内空間１２に向けて変位させることで、コネクタ３３が収容溝１３に収容され、かつ、サブアセンブリがシャーシ内空間１２に配置される。
【０１０１】
また、バックライト装置１に備えられる発光ユニット３およびハーネス４の数は、限定されない。たとえば、１つのバックライト装置に、発光ユニット３およびハーネス４を複数用いてもよい。
図１０は、この発明のさらに別の実施形態にかかるコネクタ取付構造を備えるバックライト装置１Ｂの分解斜視図である。図１１は、バックライト装置１Ｂの主要部の斜視図である。
【０１０２】
図１０および図１１を参照して、このバックライト装置１Ｂでは、ハーネス４（図１参照）が廃止されている。各基板２０Ｂには、対応するコネクタ９１，９２を介して電力供給基板９３が接続されている。
バックライト装置１Ｂは、シャーシ２Ｂと、２つの発光装置９４，９５と、を備えている。
【０１０３】
シャーシ２Ｂの主壁５Ｂは、凹凸のない、平坦な矩形の板状に形成されている。主壁５Ｂは、前方を向く第１主面９６と、後方を向く第２主面９７とを有している。主壁５Ｂのうち、上壁７Ｂの近傍および下壁９８の近傍には、それぞれ挿通孔９９が形成されている。挿通孔９９は、基板２０Ｂの数と同じ数（たとえば、４つ）形成されている。正面視において、周壁６Ｂは、主壁５Ｂの外周縁部の内側に配置されている。
【０１０４】
発光装置９４，９５は、左右方向Ｘ１に並んで配置されている。なお、各発光装置９４，９５は、同様の構成であるので、以下では、右側の発光装置９４について主に説明し、左側の発光装置９５の詳細な説明は省略する。
発光装置９４は、上下方向Ｙ１に並ぶ一対の発光ユニット３Ｂ，３Ｂと、コネクタ９１，９２と、電力供給基板９３と、を備えている。
【０１０５】
各発光ユニット３Ｂ，３Ｂの基板２０Ｂ，２０Ｂは、左右方向Ｘ１に関する基板本体２１Ｂの中央部に端子部２２Ｂが配置された構成を有しており、全体としてＴ字状に形成されている。各基板２０Ｂ，２０Ｂは、主壁５Ｂの前方に配置されている。下側の基板２０Ｂの基板本体２１は、周壁６Ｂの下壁９８の内側面に固定されている。上側の基板２０Ｂの基板本体２１は、周壁６Ｂの上壁７Ｂの内側面に固定されている。各基板２０Ｂ，２０Ｂを周壁６Ｂに固定する固定部材として、ねじ部材や、接着剤を例示することができる。
【０１０６】
コネクタ９１，９２および電力供給基板９３は、主壁５Ｂの後方に配置されている。各コネクタ９１，９２は、対応する基板２０Ｂ，２０Ｂにそれぞれ接続されている。また、各コネクタ９１，９２は、電力供給基板９３に接続されている。
コネクタ９１は、主壁５Ｂの右下部の挿通孔９９を通して、対応する基板２０Ｂの端子部２２Ｂに接続されている。コネクタ９２は、主壁５Ｂの右上部の挿通孔９９を通して、対応する基板２０Ｂの端子部２２Ｂに接続されている。
【０１０７】
電力供給基板９３は、各コネクタ９１，９２を介して、対応する基板２０Ｂ，２０ＢのＬＥＤ２３に電力を供給するために、各コネクタ９１，９２に結合されている。電力供給基板９３は、上下方向Ｙ１に長い矩形状に形成されており、インバータ回路（図示せず）等を含んでいる。
図１２は、電力供給基板９３の主要部の背面図である。図１２に示すように、電力供給基板９３は、基板本体１０１と、基板本体１０１から上下に突出する電極部１０２，１０３と、を有している。
【０１０８】
一方の電極部１０２は、電力供給基板９３の下端部に形成されている。他方の電極部１０３は、電力供給基板９３の上端部に形成されている。各電極部１０２，１０３の背面には、２つの電極１０６，１０７が配置されている。２つの電極１０６，１０７の一方は正電極であり、他方は負電極である。
電極部１０２，１０３の幅（左右方向Ｘ１の長さ）は、基板本体１０１の幅よりも狭くされている。これにより、基板本体１０１と一方の電極部１０２との境界部に段部１０４が形成されており、かつ、基板本体１０１と他方の電極部１０３との境界部に段部１０５が形成されている。
【０１０９】
図１０を参照して、コネクタ９１と、右下の基板２０Ｂと、電力供給基板９３とによって、第１基板ユニット１０８が形成されている。また、コネクタ９２と、右上の基板２０Ｂと、電力供給基板９３の電極部１０３とによって、第２基板ユニット１０９が形成されている。第２基板ユニット１０９は、第１基板ユニット１０８と同様な構成を有しているので、以下では、第１基板ユニット１０８について主に説明し、第２基板ユニット１０９については詳細な説明を省略する。
【０１１０】
図１３は、図１１のＸＩＩＩ−ＸＩＩＩ線に沿う断面図である。図１３を参照して、コネクタ９１は、基板２０Ｂと電力供給基板９３とを接続するために設けられている。コネクタ９１は、主壁５Ｂの第２主面９７側（主壁５Ｂの第１主面９６の後方）に配置されている。コネクタ９１の前端部１１０は、主壁５Ｂの挿通孔９９に挿通されている。これにより、コネクタ９１は、挿通孔９９を通して主壁５Ｂの前方に露呈している。上下方向Ｙ１に関して、挿通孔９９が下壁９８の上方および下方に延びており、コネクタ９１は、下壁９８の上方および下方に延びている。
【０１１１】
図１４は、コネクタ９１の斜視図である。図１３および図１４を参照して、コネクタ９１は、絶縁性のハウジング１１１と、ハウジング１１１に保持された左右一対のコンタクト１１２，１１３と、を含んでいる。
ハウジング１１１は、耐熱性に優れたＡＢＳ（アクリロニトリル−ブタジエン−スチレン）など、合成樹脂を用いて形成された一体成形品であり、四角柱状に形成されている。ハウジング１１１には、第１挿入凹部１２１および第２挿入凹部１２２が形成されている。
【０１１２】
第１挿入凹部１２１は、ハウジング１１１の前端面１１１ａに開放されている。第１挿入凹部１２１には、基板２０Ｂの端子部２２Ｂが挿入されている。第１挿入凹部１２１は、ハウジング１１１の前端面１１１ａから後方に延びている。左右方向Ｘ１に沿って視たとき、第１挿入凹部１２１は、端子部２２Ｂの形状に略合致する形状に形成されている。
第１挿入凹部１２１は、端子部２２Ｂを上下方向Ｙ１に挟んで対向する一対の対向部１２１ａ，１２１ｂを含んでいる。一対の対向部１２１ａ，１２１ｂ間の間隔は、端子部２２Ｂの厚みよりもわずかに長くされている。これにより、端子部２２Ｂに対するコネクタ９１の位置が上下方向Ｙ１に多少ずれていても、端子部２２Ｂを第１挿入凹部１２１に挿入することが可能となっている。
【０１１３】
第２挿入凹部１２２は、ハウジング１１１のうち、電力供給基板９３の基板本体１０１に対向する対向面１１１ｂ（例えば、上端面）に開放されている。第２挿入凹部１２２は、第１挿入凹部１２１の後方に配置されている。第２挿入凹部１２２には、電力供給基板９３の一方の電極部１０２が挿入されている。左右方向Ｘ１に沿って視たとき、第２挿入凹部１２２は、電極部１０２の形状に略合致する形状に形成されている。
【０１１４】
第２挿入凹部１２２は、一方の電極部１０２を前後方向Ｚ１に挟んで対向する一対の対向部１２２ａ，１２２ｂを含んでいる。一対の対向部１２２ａ，１２２ｂ間の間隔は、一方の電極部１０２の厚みよりもわずかに長くされている。これにより、一方の電極部１０２に対するコネクタ９１の位置が前後方向Ｚ１に多少ずれていても、一方の電極部１０２を第２挿入凹部１２２に挿入することが可能となっている。
【０１１５】
図１０を参照して、電力供給基板９３の一方の段部１０４は、コネクタ９１のハウジング１１１の対向面１１１ｂに受けられている。電力供給基板９３の他方の段部１０５は、コネクタ９２のハウジング１１１の対向面１１１ｂに受けられている。これにより、電力供給基板９３は、上下方向Ｙ１に位置決めされている。
図１３および図１４を参照して、基板２０Ｂの端子部２２Ｂは、第２方向Ｄ２に沿って後方に変位されることにより、第１挿入凹部１２１に挿入される。これに対し、一方の電極部１０２は、上下方向Ｙ１（下方向Ｙ３）に沿って変位されることにより、第２挿入凹部１２２に挿入される。このように、第１挿入凹部１２１に端子部２２Ｂを挿入する方向と、第２挿入凹部１２２に一方の電極部１０２を挿入する方向は、互いに直交している。
【０１１６】
コンタクト１１２，１１３は、電力供給基板９３と基板２０Ｂとを電気的に接続するために設けられている。一対のコンタクト１１２，１１３は、左右方向Ｘ１に横並びに配置された状態で、ハウジング１１１に収容されている。なお、一対のコンタクト１１２，１１３は、同様の構成を有しているので、以下では、右側のコンタクト１１２について主に説明し、左側のコンタクト１１３の詳細な説明は省略する。
【０１１７】
コンタクト１１２は、厚みが１ｍｍ未満程度の薄い金属板をプレス成形し、かつ所定の形状に曲げて形成された一体成形品である。コンタクト１１２は、ハウジング１１１に形成された保持部１２３に挿通され、かつ保持されている。
保持部１２３は、ハウジング１１１の前端面１１１ａから後方に延びており、第１挿入凹部１２１および第２挿入凹部１２２に連続している。上下方向Ｙ１に関して、保持部１２３の長さは、第１挿入凹部１２１の長さよりも長くされている。保持部１２３が設けられることにより、第１挿入凹部１２１の対向面１２１ａ，１２１ｂの一部は、上下に窪ませた形状とされ、かつ、第２挿入凹部１２２の対向部１２２ａの一部は、後方に窪まされた形状となっている。保持部１２３に保持されたコンタクト１１２は、第１挿入凹部１２１内において、端子部２２Ｂに接触し、かつ、第２挿入凹部１２２内において、一方の電極部１０２に接触している。
【０１１８】
図１３を参照して、コンタクト１１２は、一方の電極部１０２と接触するためのＵ字状部１２４と、このＵ字状部１２４から延設され端子部２２Ｂと接触するための延設部１２５と、を含んでいる。
Ｕ字状部１２４は、左右方向Ｘ１に沿って視たときにＵ字形形状に形成されている。Ｕ字状部１２４は、前後方向Ｚ１に相対向する第１部分１２６および第２部分１２７と、第１および第２部分１２６，１２７の基端部間を接続する第３部分１２８と、を含んでいる。
【０１１９】
第１部分１２６は、平板状（直線状）に形成されており、上下方向Ｙ１に沿って延びている。第１部分１２６は、第２挿入凹部１２２の対向部１２２ｂに隣接しており、電力供給基板９３の一方の電極部１０２を受けることが可能となっている。
第２部分１２７は、第１部分１２６と平行に形成された平板状の基部１２７ａと、基部１２７ａから延びる弾性片部１２７ｂとを含んでいる。
【０１２０】
弾性片部１２７ｂは、全体として湾曲形状に形成されており、基部１２７ａの先端部（上端部）から延びる屈曲部１２７ｃと、屈曲部１２７ｃに連続する山形部１２７ｄと、を含んでいる。屈曲部１２７ｃは、上方向Ｙ２に向けて凸となる滑らかな湾曲状に形成されている。
山形部１２７ｄは、前方向Ｚ２に向けて凸となる山形形状に形成されており、頂部を含む一部が第２挿入凹部１２２内に配置されている。山形部１２７ｄの頂部に第２接触部１３２が設けられている。第２接触部１３２は、電極１０６，１０７の何れか（たとえば、電極１０６）に接触している。
【０１２１】
上記の構成により、第２挿入凹部１２２に挿入された一方の電極部１０２は、Ｕ字状部１２４で挟まれており、第２接触部１３２と電極１０６との間で充分な接圧が作用している。
延設部１２５は、Ｕ字状部１２４の第１部分１２６の先端部（上端部）の前方に配置されている。延設部１２５は、Ｕ字状部１２４の第１部分１２６から延びる平板状の基部１２５ａと、この基部１２５ａから延びる弾性片部１２５ｂと、を含んでいる。
【０１２２】
基部１２５ａは、Ｕ字状部１２４の第１部分１２６に対して直交している。基部１２５ａは、端子部２２Ｂの上方に位置している。基部１２５ａの左右方向Ｘ１の両端部は、ハウジング１１１に挟持されるようになっている。これにより、コンタクト１１２がハウジング１１１から外れないようにされている。このようにコンタクト１１２のうち、弾性変形する必要のない部分としての基部１２５ａが、ハウジング１１１に固定されている。
【０１２３】
弾性片部１２５ｂは、全体として湾曲形状に形成されており、基部１２５ａの先端部（前端部）から延びる屈曲部１２５ｃと、屈曲部１２５ｃに連続する山形部１２５ｄとを含んでいる。屈曲部１２５ｃは、前方向Ｚ２に向けて凸となる滑らかな湾曲状に形成されている。
山形部１２５ｄは、下方向Ｙ３に向けて凸となる形状に形成されており、頂部を含む一部が第１挿入凹部１２１内に配置されている。山形部１２５ｄの頂部に第１接触部１３１が設けられている。第１接触部１３１は、第１部分１２６に挿入された端子部２２Ｂの端子２４Ｂ，２５Ｂの何れか（たとえば、端子２４Ｂ）に接触している。
【０１２４】
上記の構成により、第１挿入凹部１２１に挿入された端子部２２Ｂは、第１挿入凹部１２１の対向部１２１ａに受けられ、且つ、第１接触部１３１に弾性的に接触している。これにより、第１接触部１３１と、端子部２２Ｂとの間で充分な接圧が作用している。これにより、電力供給基板９３の電極１０６と、端子部２２Ｂの端子２４Ｂとは、コンタクト１１２を介して電気的に接続されている。さらに、ハウジング１１１は、シャーシ２Ｂに固定された基板２０Ｂによって支持されている。これにより、シャーシ２Ｂには、ハウジング１１１を支持するための専用の部分を設ける必要がない。
【０１２５】
第１基板ユニット１０８の一部としての基板２０Ｂの端子部２２Ｂ、およびハウジング１１１の前端部１１１ａは、主壁５Ｂの挿通孔９９を挿通している。この構成により、主壁５Ｂを挟むように基板２０Ｂおよび電力供給基板９３が配置されている。
次に、バックライト装置１Ｂの組み立ての一例の主要点を説明する。
図１５を参照して、バックライト装置１Ｂを組み立てる際には、まず、単品の電力供給基板９３の各電極部１０２，１０３にそれぞれ対応するコネクタ９１，９２の第２挿入凹部１２２を上下方向Ｙ１に沿って挿入することで、サブアセンブリ１３３を形成する。このサブアセンブリ１３３を、２つ用意する。
【０１２６】
次に、図１６に示すように、各サブアセンブリ１３３を、主壁５Ｂの第２主面９７側（後側）に配置する。このとき、各サブアセンブリ１３３のコネクタ９１，９２のハウジング１１１の前端部１１０を、対応する挿通孔９９に挿通しておく。次に、４つの基板２０Ｂを用意し、各基板２０Ｂを、主壁５Ｂの第１面９６側（主壁５Ｂの前方）に配置する。そして、各基板２０Ｂを、第２方向Ｄ２に沿って主壁５Ｂに向けて変位させる。これにより、図１１に示すように、各基板２０Ｂの端子部２２Ｂが主壁５Ｂの挿通孔９９を挿通し、かつ、対応する第１挿入凹部１２１に挿入される。この状態で、各基板２０Ｂは、周壁５Ｂに固定される。
【０１２７】
一方、バックライト装置１Ｂを分解するときは、各基板２０Ｂを第１方向Ｄ１に沿って変位させる。これにより、図１６に示すように、各基板２０Ｂを、周壁６Ｂから取り外す。次に、各サブアセンブリ１３３を、主壁５Ｂに対して第１方向Ｄ１に変位させる。これにより、サブアセンブリ１３３をシャーシ２Ｂから取り外す。
以上説明したように、この実施形態によれば、各コネクタ９１，９２に、対応する基板２０Ｂと、電力供給基板９３の双方を接続する、いわゆるボード・トゥ・ボード接続構造を実現できる。これにより、基板２０Ｂと電力供給基板９３との間にコネクタ９１，９２以外の接続部材（電線など）を配置する必要がない。したがって、基板２０Ｂと電力供給基板９３とを電気的に接続するための部品点数を少なくできる。
【０１２８】
また、基板２０Ｂと電力供給基板９３とを近接して配置できるので、バックライト装置１Ｂの小型化を達成できる。さらに、各コネクタ９１，９２に基板２０Ｂと電力供給基板９３とを接続する簡易な作業で、基板２０Ｂと電力供給基板９３とを接続できるので、バックライト装置１Ｂの組み立ての作業性を向上できる。さらに、ＬＥＤ２３とは主壁５Ｂを挟んだ反対側に電力供給基板９３を配置する積層構造により、バックライト装置１Ｂをより薄型化（小型化）できる。
【０１２９】
また、端子部２２Ｂは、ＬＥＤ２３に対して主壁５Ｂの反対側に配置される。これにより、ＬＥＤ２３を、主壁５Ｂに、より近接して配置することができるので、バックライト装置１Ｂをより薄型化（小型化）できる。
さらに、各コネクタ９１，９２の第２挿入凹部１２２に電力供給基板９３の対応する電極部１０２，１０３を差し込むという簡易な構成により、各コネクタ９１，９２と電力供給基板９３とを容易に接続できる。また、各コネクタ９１，９２と電力供給基板９３とを接続するために大きな空間が必要ないので、バックライト装置１Ｂをより小型化できる。
【０１３０】
さらに、第１挿入凹部１２１に端子部２２Ｂを挿入する方向（第２方向Ｄ２）と、第２挿入凹部１２２に電力供給基板９３を挿入する方向（上下方向Ｙ１）は、互いに直交している。これにより、主壁５Ｂと、電力供給基板９３とを略平行に配置できるので、バックライト装置１Ｂの薄型化を達成できる。また、主壁５Ｂと電力供給基板９３とを略平行に配置した状態で、ＬＥＤ２３の光を、主壁５Ｂの延びる方向（上下方向Ｙ１）と略平行に照射できる。ＬＥＤ２３の光を、主壁５Ｂの延びる方向と略平行に照射することにより、シャーシ２Ｂ内での光の強さの分布をより均一にできる。したがって、バックライト装置１Ｂの小型化という効果と、シャーシ２Ｂ内での光の強さの分布をより均一にできるという効果という、相乗効果を発揮できる。
【０１３１】
さらに、各電極部１０２，１０３をＵ字状部１２４で挟むことにより、各電極部１０２，１０３とＵ字状部１２４とを、より確実に接触させることができる。したがって、電力供給基板９３の各電極１０６，１０７とＵ字状部１２４の第２接触部１３２と、をより確実に接触させることができる。
また、Ｕ字状部１２４に第２接触部１３２を配置していることにより、電力供給基板９３の電極１０６，１０７と第２接触部１３２とをより確実に接触させることができる。
【０１３２】
さらに、弾性片部１２７ｂと電力供給基板９３との弾性的な接触により、弾性片部１２７ｂの第２接触部１３２を、対応する電極１０６，１０７に対してより確実に接触させることができる。しかも、平板状に形成されたことにより剛性の高い第１部分１２６から、延設部１２５が延設されている。これにより、延設部１２５の第１接触部１３１が基板２０Ｂの対応する端子２４Ｂ，２５Ｂと接触しているときの基板２０Ｂからの反力を、第１部分１２６で確実に受けることができる。したがって、基板２０Ｂからの反力が第２接触部１３２と電力供給基板９３との接触状態に影響を与えることを抑制できる。
【０１３３】
また、１つの電力供給基板９３によって、２つの基板２０Ｂ，２０Ｂに電力を供給することができる。これにより、電力供給基板９３の数を少なくできるので、バックライト装置１Ｂの部品点数を少なくできる。また、各基板２０Ｂをシャーシ２Ｂに固定することにより、基板２０Ｂ，２０Ｂ、コネクタ９１，９２および電力供給基板９３を一括してシャーシ２Ｂに固定できる。これにより、基板２０Ｂ，２０Ｂ、コネクタ９１，９２および電力供給基板９３をシャーシ２Ｂに取り付けるための取付部材の数を少なくでき、且つ、基板２０Ｂ，２０Ｂ、コネクタ９１，９２および電力供給基板９３をシャーシ２Ｂに取り付ける手間を少なくできる。
【０１３４】
この実施形態では、電力供給基板９３は、コネクタ９１，９２および基板２０Ｂ，２０Ｂを介してシャーシ２Ｂに保持される構成としたけれども、これに限定されない。たとえば、電力供給基板９３を主壁５Ｂの第２主面９７に固定することで、電力供給基板９３をシャーシ２Ｂで保持するようにしてもよい。この場合、基板２０Ｂは、シャーシ２Ｂに固定されていてもよいし、固定されていなくてもよい。
【０１３５】
また、発光装置９４に基板ユニットを２つ設ける構成としたけれども、これに限定されない。たとえば、発光装置９４に基板ユニットを１つのみ設けてもよい。
さらに、各電極部１０２，１０３の前面および裏面の双方に電極を設けてもよい。この場合、これらの電極を、Ｕ字状部１２４の第１部分１２６および第２部分１２７に形成された第２接触部に接触させることができるので、電力供給基板９３とコネクタ９１，９２との電気的な接続をより確実にできる。したがって、電力供給基板９３とコネクタ９１，９２との間の導通不良をより確実に抑制できる。
【０１３６】
また、コンタクト１１２は、基板２０Ｂの端子部２２Ｂ、および電力供給基板９３の対応する電極部１０２，１０３の双方と接触可能な形状であればよく、上記した形状に限定されない。同様に、また、コンタクト１１３は、基板２０Ｂの端子部２２Ｂ、および電力供給基板９３の対応する電極１０２，１０３の双方と接触可能な形状であればよく、上記した形状に限定されない。
【０１３７】
また、各上記実施形態において、基板２０，２０Ａ，２０Ｂの各端子部２２，２２Ａ，２２Ｂに２つの端子２４，２５；２４Ａ，２５Ａ；２４Ｂ，２５Ｂを設ける構成としたけれども、これに限定されない。基板における端子の数は、ＬＥＤの数×２であってもよい。この場合、コネクタのコンタクトの数や、被覆電線の数も、基板の端子の数と同じだけ設けられる。この構成により、各ＬＥＤを個別に点灯・消灯することができる。したがって、よりきめ細かな点灯制御を行うことができる。
【０１３８】
さらに、基板２０，２０Ａ，２０Ｂは、アルミニウム合金を母材として形成された構成に限定されない。基板２０，２０Ａ，２０Ｂは、プリント基板などの他の基板を用いて形成されていてもよい。さらに、基板２０，２０Ａ，２０Ｂの端子２４，２５；２４Ａ，２５Ａ；２４Ｂ，２５Ｂは、基板２０，２０Ａ，２０Ｂの実装面２０ａに加え、基板２０，２０Ａ，２０Ｂの実装面２０ａとは反対の裏面に形成されてもよい。
【０１３９】
また、基板２０，２０Ａを上壁７に固定する固定部材として固定ねじ２７を例示したけれども、固定ピンなどの他の固定部材を用いてもよいし、接着剤を用いて基板２０，２０Ａを上壁７に固定してもよい。
さらに、第１方向Ｄ１は、前方向Ｚ２と一致する方向であるとしたけれども、これに限定されない。第１方向Ｄ１は、前方向Ｚ２に対して傾いた方向であってもよい。この場合、基板２０，２０Ａ，２０Ｂおよびコネクタ３３，３３Ａ，９１，９２の挿入凹部６３，１２１は、前方向Ｚ２に対して傾斜した第１方向Ｄ１と平行な向きに配置される。この場合、基板２０，２０Ａ，２０Ｂは、主壁５に対して傾斜するように配置される。
【０１４０】
また、発光素子としてＬＥＤを例示したけれども、有機ＥＬ（electroluminescence）などの他の発光素子を用いてもよい。
【符号の説明】
【０１４１】
２，２Ｂ  シャーシ
５，５Ｂ  主壁
５ｂ  上端縁部（主壁の一縁部）
６，６Ｂ  周壁（縦壁）
１１  窪み部
１３，１３Ａ  収容溝
２０，２０Ａ，２０Ｂ  基板
２１  基板本体
２１ｂ  後縁部（基板本体の一縁部）
２１ｃ  左端部（基板本体の長手方向の一部）
２１ｄ  右端部（基板本体の長手方向の一部）
２２，２２Ａ，２２Ｂ  端子部
２３  ＬＥＤ（発光素子）
２４，２４Ａ，２４Ｂ  端子
２５，２５Ａ，２５Ｂ  端子
２７  固定ねじ（固定部材）
２８  電源回路（電源）
３１，３２  被覆電線（接続部材）
３１ａ，３２ａ  被覆電線の一端部
３３，３３Ａ  コネクタ
３４  コンタクト
３６  ハウジング
４１  第１部分
４２  第２部分
４５  第１固定部（接続部材が固定される固定部）
５０ｃ  接触部
５１  脚部
６０  コンタクト収容部（ハウジング内の空間）
６１  第１収容部（接続部材収容部）
６３  挿入凹部
６６  保持機構
７１  第１側面（収容溝の側面、保持部）
７２  第２側面（収容溝の側面、保持部）
８１  第１突起（被保持部）
８２  第２突起（被保持部）
９１，９２  コネクタ
９３  電力供給基板
９９  挿通孔
１０２，１０３  電極部
１０６，１０７  電極
１０８，１０９  基板ユニット
１１１  ハウジング
１１２，１１３  コンタクト
１２１  第１挿入凹部（挿入凹部）
１２２  第２挿入凹部
１２４  Ｕ字状部
１２５  延設部
１２６  第１部分
１２７  第２部分
１２７ｂ  弾性片部
１３１  第１接触部（接触部）
１３２  第２接触部
２３１  ＬＥＤ（整列発光素子）
Ｄ１  第１方向
Ｄ２  第２方向
【図１】
2012033456.tif 000003
【図２】
2012033456.tif 000004
【図３】
2012033456.tif 000005
【図４】
2012033456.tif 000006
【図５】
2012033456.tif 000007
【図６】
2012033456.tif 000008
【図７】
2012033456.tif 000009
【図８】
2012033456.tif 000010
【図９】
2012033456.tif 000011
【図１０】
2012033456.tif 000012
【図１１】
2012033456.tif 000013
【図１２】
2012033456.tif 000014
【図１３】
2012033456.tif 000015
【図１４】
2012033456.tif 000016
【図１５】
2012033456.tif 000017
【図１６】
2012033456.tif 000018